(57)【要約】【課題】操作目標が立体表示された操作入力装置であって、立体表示によって機能的な作用効果を高めた操作入力装置を提供すること。【解決手段】操作を受け付ける操作スイッチ５が操作面１０側に設けられたリモコン１は、操作面１０から浮かび上がって目視される操作マーク５０を検出領域２１０に対応付けて立体的に表示する表示パネルを有し、何れかの操作スイッチ５に対応する操作マーク５０の浮かび上がり量が他の検出領域２１０とは異なっている。【選択図】図１
2012194617.tif 000002
【特許請求の範囲】
【請求項１】
操作を受け付ける操作スイッチが操作面側に設けられた操作入力装置であって、
操作面から浮かび上がって目視される操作目標を前記操作スイッチに対応付けて立体的に表示する立体表示手段を有し、
何れかの操作スイッチに対応する操作目標の操作面からの浮かび上がり量が時間的に異なるか、あるいは他の操作スイッチが存在している場合であれば、前記浮かび上がり量が他の操作スイッチとは異なっている操作入力装置。
【請求項２】
請求項１において、複数の操作スイッチの操作順を表す操作パターンを記憶する操作パターン記憶手段と、
該操作パターン記憶手段が記憶する操作パターンを参照して次に操作される可能性が高い操作スイッチを予測する操作予測手段と、を備え、
前記立体表示手段は、次に操作される可能性が高い操作スイッチに対応する操作目標の浮かび上がり量を他の操作スイッチよりも大きくする操作入力装置。
【請求項３】
請求項２において、操作面を基準とした高さ方向に検出領域を有する操作検出手段を備え、
該操作検出手段は、前記操作目標の浮かび上がり量の変動に応じて前記検出領域の前記高さ方向の位置を変化させる操作入力装置。
【発明の詳細な説明】
【技術分野】
【０００１】
本発明は、対象機器を動作させるための操作を入力する操作入力装置に関する。
【背景技術】
【０００２】
従来より、対象機器を動作させるための各種操作を入力する操作入力装置として、浮かび上がって立体的に目視される虚像を操作目標として立体表示すると共に、その操作目標に対する非接触操作を実現した入力装置が知られている（例えば、特許文献１参照。）。このような非接触操作を可能とした操作入力装置は、濡れ手による操作が必要なキッチンや洗面台、タッチ操作が敬遠されることもある多機能便器等への適用に好適である。
【０００３】
しかしながら、前記従来の操作目標を立体表示する操作入力装置では、次のような問題がある。立体表示のない非接触スイッチと比べて機能的な差異が少なく、例えば、数ｃｍ以内に近づいた指先を検出する非接触スイッチの場合、操作スイッチを表す平面マーク等があれば実質的に操作目標に困ることも少ない。このように、前記従来の操作入力装置では、立体表示が十分に活用されているとは言えず単に装飾的効果の向上に留まり、立体表示に伴うコストアップに対して操作入力装置本来の機能的な作用効果が十分に高められていないという問題がある。
【先行技術文献】
【特許文献】
【０００４】
【特許文献１】特開平１０−２２３１０２号公報
【発明の概要】
【発明が解決しようとする課題】
【０００５】
本発明は、前記従来の問題点に鑑みてなされたものであり、操作目標を立体表示する操作入力装置であって、立体表示によって機能的な作用効果を高めた操作入力装置を提供しようとするものである。
【課題を解決するための手段】
【０００６】
本発明は、操作を受け付ける操作スイッチが操作面側に設けられた操作入力装置であって、
操作面から浮かび上がって目視される操作目標を前記操作スイッチに対応付けて立体的に表示する立体表示手段を有し、
何れかの操作スイッチに対応する操作目標の操作面からの浮かび上がり量が時間的に異なるか、あるいは他の操作スイッチが存在している場合であれば、前記浮かび上がり量が他の操作スイッチとは異なっている操作入力装置にある（請求項１）。
【発明の効果】
【０００７】
本発明の操作入力装置においては、何れかの操作スイッチに対応する操作目標の浮かび上がり量が時間的に異なるか、あるいは他の操作スイッチとは異なっている。例えば、何れかの操作目標を他の操作目標よりも浮かび上がって見えるように設定すれば、当該何れかの操作目標に対応する操作スイッチを他の操作スイッチよりも強調でき目立たせることができる。また、何れかの操作目標の浮かび上がり量が時間的に異なるような変化を与えれば、対応する操作スイッチの強調度合いに変化を与えることができる。
【０００８】
このように、本発明の操作入力装置によれば、前記操作目標を立体表示する際、その浮かび上がり量に応じて対応する操作スイッチの強調度合いに差を設けることができるという機能的な作用効果を実現できる。
【０００９】
本発明において、前記操作スイッチが複数の場合であれば、何れかの操作スイッチに対応する操作目標の浮かび上がり量を他の操作スイッチとは異ならせるのみでも良いが、これに加えて、何れかの操作目標の浮かび上がり量を時間的に異ならせることも良い。また、操作頻度の高い操作スイッチや優先度の高い操作スイッチに対応する操作目標の浮かび上がり量を大きくし、操作頻度の低い操作スイッチや優先度の低い操作スイッチに対応する操作目標の浮かび上がり量を小さくすることも良い。この場合には、操作頻度の高い操作スイッチを強調して目立たせることができ、分かり易い操作性を実現できる。
【００１０】
また、複数の操作スイッチの操作順を表す操作パターンを記憶する操作パターン記憶手段と、
該操作パターン記憶手段が記憶する操作パターンを参照して次に操作される可能性が高い操作スイッチを予測する操作予測手段と、を備え、
前記立体表示手段は、次に操作される可能性が高い操作スイッチに対応する操作目標の浮かび上がり量を他の操作スイッチよりも大きくすることが好ましい（請求項２）。
【００１１】
この場合には、次に操作される可能性が高い操作スイッチを強調できる。次に操作される可能性が高い操作スイッチを順次、強調していけば、対象機器の操作に不慣れな使用者や、対象機器の操作を苦手とする使用者等に対する操作手順のナビゲーションを実現できる。例えば、前記操作パターンとして対象機器の基本的な操作順を設定しておけば、より浮かび上がって見える操作目標に対応する操作スイッチを順番に操作していくだけで対象機器の基本操作が可能になる。さらに、各操作スイッチについて、次に操作される可能性の度合いを計算し、その度合いに応じて操作目標の浮かび上がり量を設定することもできる。
【００１２】
なお、前記操作パターン記憶手段に記憶させる操作パターンは、１つのパターンであっても良いが、複数のパターンであっても良い。前記操作パターンとして、操作対象の基本操作に対応するパターンのほか、応用的な操作に対応するパターンを準備しておくことも良い。さらに、複数種類の操作パターンを準備しておき、操作の進行に応じて操作パターンを次第に絞り込んでいくように前記操作予測手段を構成することも良い。このように構成すれば、操作スイッチを予測するための処理負担を軽減できる。
【００１３】
また、操作面を基準とした高さ方向に検出領域を有する操作検出手段を備え、
該操作検出手段は、前記操作目標の浮かび上がり量の変動に応じて前記検出領域の前記高さ方向の位置を変化させることが好ましい（請求項３）。
【００１４】
この場合には、立体表示される操作目標の浮かび上がり量に応じた前記検出領域を形成でき、非接触操作時の操作感を向上できる。なお、前記検出領域としては、操作面から前記高さ方向に拡がる領域であっても良いが、より好ましくは、操作面からの高さ方向の範囲が所定範囲に限定された領域であることが良い。
なお、前記操作検出手段としては、光センサ、光電センサ、電波センサ、超音波センサ、赤外線センサ、静電容量センサ、焦電センサなど様々なセンサを利用した手段を採用できる。
【００１５】
さらに、指先等により光が遮られたときに操作を検出する光遮断式センサを採用することも良い。この場合には、周囲から窪む凹部の底部に操作面を設定すると共に、凹部の内周側面に発光部及び受光部を設けることが良い。
【図面の簡単な説明】
【００１６】
【図１】実施例１における、リモコンを見上げるように見込む斜視図。
【図２】実施例１における、リモコンを正面側から見込む斜視図。
【図３】実施例１における、操作の様子を説明する説明図。
【図４】実施例１における、表示パネルの積層構造を示す組立斜視図。
【図５】実施例１における、リモコンのシステム構成を示すブロック図。
【図６】実施例１における、その他の導光板を示す斜視図。
【図７】実施例２における、表示パネルの積層構造を示す組立斜視図。
【図８】実施例２における、リモコンのシステム構成を示すブロック図。
【図９】実施例２における、操作の様子を示す説明図。
【図１０】実施例２における、操作パターン記憶手段が記憶する操作パターンを説明する説明図。
【図１１】実施例２における、操作マークの浮き上がり量の変動パターンを例示する説明図。
【発明を実施するための形態】
【００１７】
（実施例１）
本例は、操作マーク（操作目標）を立体表示するリモコン１に関する例である。この内容について、図１〜図６を用いて説明する。
本例のリモコン１は、図１及び図２のごとく、図示しないシャワー機能付きの便器を遠隔操作するための操作入力装置である。このリモコン１は、細長い箱状の筐体１１を有し、例えば、トイレルームの壁等、便座に着座中の使用者が操作し易い位置に設置される。このリモコン１の操作面１０は、トイレルーム側の表面に形成されている。
【００１８】
リモコン１の操作面１０は、凸凹のない平滑面により構成されている。操作面１０側には、５箇所の操作スイッチ５が設けられている。操作スイッチ５としては、左側から順番に、停止スイッチ５Ａ、臀部シャワーのシャワースイッチ５Ｂ、ビデスイッチ５Ｃ、乾燥スイッチ５Ｄ、水洗スイッチ５Ｅが配置されている。
【００１９】
各操作スイッチ５は、図１〜図３のごとく、立体表示された操作マーク５０と、操作を検出する検出領域２１０と、の組合せにより構成された非接触の操作スイッチである。本例のリモコン１では、全ての操作マーク５０が立体表示されている一方、停止スイッチ５Ａ及び水洗スイッチ５Ｅに対応する操作マーク５０の浮かび上がり量（図中、Ｆで示す寸法。）が、他の操作スイッチ５Ｂ〜Ｄよりも大きくなっている（図１参照。）。このリモコン１では、操作マーク５０の浮かび上がり量に相当する高さに検出領域２１０が設定されている。それ故、リモコン１では、何れかの操作マーク５０を指先等で触れるように操作することで、対応する操作スイッチ５を非接触で操作可能である。
【００２０】
リモコン１の操作面１０には、図２及び図３のごとく、操作マーク５０を立体表示する表示パネル（立体表示手段）４が配設されている。操作面１０における表示パネル４の上側及び下側には、被検出対象に向けて光を投射する測距ＬＥＤを含む発光部３１２、光の入射位置に応じた電気信号を出力する受光素子であるＰＳＤ（Position Sensitive Device：位置検出素子）を含む受光部３１１が配設されている。本例のリモコン１では、発光部３１２と受光部３１１との組合せにより操作検出センサ３１が形成されている。この操作検出センサ３１は、各操作スイッチ５に対応してそれぞれ設けられている。
【００２１】
表示パネル４は、図２〜図４のごとく、トイレルーム側に面する側から順番に、レンチキュラーシート４０、照明用の導光板４３が積層されたシート状のパネルである。
レンチキュラーシート４０は、立体的に浮き上がって目視される操作マーク５０を表示するシート状部材である。レンチキュラーシート４０は、レンチキュラーレンズ４１と、３Ｄ画像がプリントされた３Ｄ画像シート４２と、の２層構造を有している。
【００２２】
３Ｄ画像シート４２は、操作マーク５０の元絵となる３Ｄ画像が透明シートの表面に印刷されたシートである。３Ｄ画像シート４２では、左目用の像が印刷された短冊状の左像エリア４２１と、右目用の像が印刷された短冊状の右像エリア４２２と、が交互に配置されている。なお、本例では、導光板４３による照明効果が高くなるよう、透光性塗料によって３Ｄ画像が印刷されている。
【００２３】
レンチキュラーレンズ４１は、１組の左像エリア４２１及び右像エリア４２２を覆う畝状の凸部４１１を、エリア４２１・４２２の組毎に複数設けた透明シートである。畝状の凸部４１１の１本１本は、３Ｄ画像シート４２の左目用の像を観者の左目の網膜に結像させ、右目用の像を右目の網膜に結像させるレンズ機能を備えている。
【００２４】
レンチキュラーレンズ４１を介して３Ｄ画像シート４２を見込んだとき、観者の右目で右目用の像が視認され、左目で左目用の像が視認される。本例の３Ｄ画像シート４２では、右目用の像、左目用の像として、いわゆる立体視効果を生じさせるステレオ画像が設定されており、立体的に浮かび上がる操作マーク５０を観者に目視させることが可能である。
【００２５】
導光板４３は、図２〜図４のごとく、３色のＬＥＤを含む照明ユニット４３３が外周側部に配置されたアクリル製シートである。照明ユニット４３３の光は、外部との境界面で反射を繰り返しながらシート内部に拡散する。このように光が拡散すれば、導光板４３全体を均一性高く発光させることができる。上記のごとく、本例では、操作マーク５０の元絵となる３Ｄ画像が透光性塗料により印刷されている。そのため、導光板４３の照明によれば、操作マーク５０をステンドグラスのごとく発光させることが可能である。
【００２６】
さらに、本例の導光板４３には、各操作スイッチ５Ａ〜Ｅを区分する仕切り４３１が設けられている。仕切り４３１で区分された区画には、個別に照明ユニット４３３が設けられており、各操作スイッチ５Ａ〜Ｅに対応する操作マーク５０を異なる色味で発光させることが可能である。
【００２７】
リモコン１の内部には、図５のごとく、各操作スイッチ５Ａ〜Ｅ毎の操作検出センサ３１及び赤外線送信器３３が電気的に接続された制御基板２が収容されている。制御基板２には、各操作検出センサ３１を制御する検出制御部２１、操作の有無を判断する操作検出部２２、操作に応じて赤外線送信器３３を制御する送信制御部２３が配設されている。本例のリモコン１では、操作検出センサ３１、検出制御部２１、操作検出部２２の組み合わせにより操作検出手段が構成されている。
【００２８】
検出制御部２１は、操作検出センサ３１による受発光動作が同期して実行されるように発光部３１２及び受光部３１１を制御すると共に、受光部３１１を構成するＰＳＤの出力信号であるセンサ信号を取り込んで操作検出部２２に入力する。
操作検出部２２は、操作検出センサ３１のセンサ信号に基づいてＰＳＤに対する反射光の入射位置を特定し、三角測量の原理により被検出対象までの距離を計測する。操作検出部２２は、検出領域２１０に対応する範囲内の距離が計測されたときに操作有りと判断して操作検出信号を出力する。なお、操作検出信号には、何れの操作スイッチ５に対応する信号であるかを表すスイッチＩＤが含まれている。
【００２９】
送信制御部２３は、操作検出部２２の操作検出信号を受信したとき、赤外線送信器３３を制御して対応する赤外線信号を出力させる。例えば、シャワースイッチ５Ｂが操作されたときには、臀部シャワーのスタート信号に当たる赤外線信号を出力するように赤外線送信器３３を動作させる。
【００３０】
以上のような構成の本例のリモコン１では、各操作スイッチ５Ａ〜Ｅに対応する操作マーク５０が立体表示されている。このリモコン１によれば、操作面１０に触れることなく非接触操作によりシャワー機能付きの便器を操作可能である。さらに、このリモコン１では、停止スイッチ５Ａ及び水洗スイッチ５Ｅの操作マーク５０の浮かび上がり量が他の操作マーク５０よりも大きく設定されている。水洗スイッチ５Ｅを強調して目立たせれば、便器を洗浄するという必須の操作方法を使用者に直感的に把握させることが可能になる。また、シャワースイッチ５Ｂやビデスイッチ５Ｃ等よりも停止スイッチ５Ａを強調すれば、意図しない臀部シャワーやビデシャワーの動作が発生するおそれを抑制できる。
【００３１】
さらに、本例のリモコン１では、各操作スイッチ５Ａ〜Ｅの操作マーク５０を個別に照明可能である。操作マーク５０の明るさや色合いを個別に設定すれば、明るさや色合いによって特定の操作スイッチ５を強調することも可能である。浮かび上がり量に加えて明るさや色合いを異ならせれば、操作スイッチ５の強調効果を一層高めることができる。
【００３２】
なお、本例の導光板４３の仕切り４３１（図４）を省略する一方、図６のごとく、何れかの操作スイッチ５に対応する領域４３５（同図中では、停止スイッチ５Ａに対応する領域を例示。）のみ、他とは異なる赤みを帯びた導光板４３を採用することも良い。この場合には、停止スイッチ５Ａの操作マーク５０のみ、赤みを帯びた色合いで表示できる。
また、本例のリモコン１では、停止スイッチ５Ａ及び水洗スイッチ５Ｅの操作マーク５０の浮かび上がり量を大きく設定したが、他の操作スイッチ５の浮かび上がり量を大きく設定することも良い。
【００３３】
なお、本例では、レンチキュラーレンズ４１を利用して操作マーク５０の立体表示を実現したが、立体表示の方法としては、本例のレンチキュラー方式に代えて、スリットや液晶等を利用して左右の目に異なる像を結像させて立体表示を実現するパララックスバリア（視差バリア）方式や、ホログラムによる立体表示を可能とするホログラフィー方式や、マイクロレンズアレイ等、他の立体表示方法を採用することもできる。
【００３４】
なお、本例の測距ＬＥＤとＰＳＤとの組合せによる操作検出センサ３１に代えて、スリット光を所定角度で投射する発光部と、反射光を受光する受光部と、を組み合わせた操作検出センサを採用することもできる。この場合、操作マーク５０の浮き上がり量に対応する高さに検出領域２１０が設定されるように発光部の投射角度を調整する必要がある。受光部に対する反射光の入射に応じて、検出領域２１０に差し入れられた指先等を検出できる。
【００３５】
なお、本例は、シャワー機能付きの便器を操作するためのリモコン１に関する例であるが、操作対象としては、給湯装置や、空調設備や、給水装置等であっても良い。さらに、本例の操作入力装置を対象機器に組み込むことも可能である。
【００３６】
（実施例２）
本例は、実施例１のリモコンに基づいて、各操作スイッチ５Ａ〜Ｅの操作マーク５０の浮かび上がり量を変更可能に構成した例である。この内容について、図７〜図１１を参照して説明する。
本例のリモコン１では、図７及び図８のごとく、バックライト付きの液晶ディスプレイ４５の表示面４５０にレンチキュラーレンズ４１を貼り付けた表示パネル４に変更されている。また、制御基板２には、操作パターン記憶手段２６、操作を予測する操作予測手段２５、液晶ディスプレイ４５を制御する表示制御部２７が追加的に設けられている。
【００３７】
本例の表示パネル４によれば、実施例１と同様、操作マーク５０を立体表示させることが可能である。実施例１との相違点は、表示制御部２７の制御により３Ｄ画像を切換表示できる点にある。３Ｄ画像を切換表示すれば、操作マーク５０の浮き上がり量を変更可能である。本例では、後で詳しく説明する操作予測手段２５の予測結果に応じて液晶ディスプレイ４５に表示される３Ｄ画像を切り換えている。なお、本例では、液晶ディスプレイ４５に表示させる様々なパターンの３Ｄ画像を予めＲＯＭ等の記憶素子に記憶させてある。本例に代えて、所望の立体効果を実現するための３Ｄ画像を随時、計算して求めて液晶ディスプレイ４５に表示させることもできる。
【００３８】
本例の操作検出部２２は、図９のごとく、対応する操作マーク５０の浮かび上がり量に応じて検出領域２１０の高さ方向の位置を変更する。具体的には、操作検出部２２による計測距離について、操作有りと判断するための距離範囲を変更することにより検出領域２１０の高さ方向の位置を変更する。操作検出部２２は、計測距離が所定の距離範囲内であったとき、検出領域２１０内で指先等が検出されたとして操作有りと判断する。
【００３９】
操作パターン記憶手段２６は、操作対象であるシャワー機能付きの便器の様々な操作パターンを記憶する手段である。操作パターンとしては、図１０に示すごとく、シャワースイッチ５Ｂを起点とした操作パターンＡ〜Ｃや、ビデスイッチ５Ｃを起点とした操作パターンＤ〜Ｆなど、多様な操作パターンが記憶されている。同図中の横軸の丸囲み数字は、操作順を示している。
【００４０】
操作予測手段２５は、次に操作される可能性が高い操作スイッチ５を予測する手段である。操作予測手段２５は、操作パターン記憶手段２６が記憶する操作パターンを参照して、次に操作される可能性が高い操作スイッチ５を予測する。例えば、図１０に例示する操作パターンを参照すれば、最初に操作される操作スイッチがシャワースイッチ５Ｂあるいはビデスイッチ５Ｃである可能性が高いと予測できる。このとき、表示パネル４では、予測された操作スイッチ５に対応する操作マーク５０の浮き上がり量を大きくする３Ｄ画像への表示切換が実行される。
【００４１】
実際にシャワースイッチ５Ｂが操作された場合には、操作パターンＡ〜Ｃへの絞込みが可能となる。操作パターンＡ〜Ｃに基づけば、停止スイッチ５Ａが次に操作される可能性が高いと予測できる。その後、実際に停止スイッチ５Ａが操作された後で、水洗スイッチ５Ｅが操作されれば、さらに、操作パターンＡ、Ｂへの絞り込みが可能になる。
【００４２】
以上のような構成の本例のリモコンでは、図１１のごとく、浮き上がり量が大きい操作マーク５０が操作の流れに応じて変動する。例えば、何れの操作スイッチ５も未操作であるときには、同図中上段のようにシャワースイッチ５Ｂ、ビデスイッチ５Ｃの操作マーク５０の浮き上がり量が大きく設定される。その後、シャワースイッチ５Ｂあるいはビデスイッチ５Ｃが操作された後では、中段に示すように停止スイッチ５Ａの操作マーク５０の浮き上がり量が大きくなる。そして、停止スイッチ５Ａが操作されると、下段に示すように乾燥スイッチ５Ｄ及び水洗スイッチ５Ｅの操作マーク５０の浮き上がり量が大きくなる。なお、同図では、リモコン１本体の図示を省略してある。
【００４３】
本例のリモコン１によれば、操作マーク５０の浮き上がり量に応じて次に操作される可能性が高い操作スイッチ５を強調でき、これにより、使用者に対して操作手順をナビゲーション可能である。
なお、その他の構成及び作用効果については実施例１と同様である。
【００４４】
なお、本例では、予め定められた数種類の操作パターンを操作パターン記憶手段２６に記憶させた例である。これに加えて、シャワー機能付きの便器が実際に使用されて新たな操作パターンが現れたとき、随時、操作パターンを追加的に記憶していくことも良い。
さらに、操作パターン記憶手段２６が記憶する各操作パターンについて選択可能性の度合いを設定し、実際の使用状況を反映して選択可能性の度合いに差を設けていくことも良い。この場合には、選択可能性が高い操作パターンの操作スイッチ５ほど、操作可能性が高く予測されるようになる。例えば、図１０中の操作パターンＤ〜Ｆよりも操作パターンＡ〜Ｃの方が選択可能性が高いような場合であれば、図１１中の上段で、ビデスイッチ５Ｃよりもシャワースイッチ５Ｂの操作可能性が高くなるので、シャワースイッチ５Ｂに対応する操作マーク５０の浮き上がり量をさらに大きくすれば良い。
【００４５】
なお、本例の測距ＬＥＤとＰＳＤとの組合せによる操作検出センサ３１に代えて、次に示す３種類の操作検出センサを採用することもできる。
第１の操作検出センサは、受光部と発光部とを同じ位置に設けると共に、投射光に対する反射光の減衰割合に応じて距離計測を実現するセンサである。
第２の操作検出センサは、スリット光を所定角度で投射する発光部と、反射光を受光する受光部と、の組合せを複数設けたセンサである。この操作検出センサでは、受発光部の組毎に検出領域の高さ設定が相違している。操作マークの浮き上がり量に応じて操作検出用の受発光部の組合せを選択すれば、検出領域の高さを変更可能である。
第３の操作検出センサは、光を投射する発光部に対して、異なる入射角の反射光を選択的に受光する複数の受光部を組み合わせたセンサである。この操作検出センサでは、被検出対象までの距離に応じて反射光が入射する受光部が切り換わる。操作検出用の受光部を選択することで検出領域の高さを変更可能である。
【００４６】
なお、本例の操作入力装置は、５個の操作スイッチ５Ａ〜Ｅを含むリモコン１である。操作スイッチを１個だけ有する操作入力装置について、その操作スイッチの操作マークの浮き上がり量を時間的に変動させることも良い。さらに、この操作入力装置を水栓等に組み込むことも良い。例えば、この操作入力装置を吐止水スイッチに適用する場合であれば、止水中は浮き上がり量を小さく、吐水中は浮き上がり量を大きくすることも良い。意図しない吐水開始を未然に回避できると共に、止水操作を速やかに行うことができるようになる。
【００４７】
以上、実施例１及び２のごとく本発明の具体例を詳細に説明したが、シャワー機能付きの便器のリモコンに限らず、水栓の吐止水スイッチや、流量や温度等を調整するスイッチに本発明の操作入力装置を用いることも良い。これらの具体例は、特許請求の範囲に包含される技術の一例を開示しているにすぎない。言うまでもなく、具体例の構成や数値等によって、特許請求の範囲が限定的に解釈されるべきではない。特許請求の範囲は、公知技術や当業者の知識等を利用して前記具体例を多様に変形あるいは変更した技術を包含している。
【符号の説明】
【００４８】
１…リモコン（操作入力装置）、１０…操作面、２…制御基板、２１…検出制御部、２２…操作検出部、２３…送信制御部、２５…操作予測手段、２６…操作パターン記憶手段、２７…表示制御部、２１０…検出領域、３１…操作検出センサ、３１１…受光部、３１２…発光部、４…表示パネル（立体表示手段）、４０…レンチキュラーシート、４１…レンチキュラーレンズ、４２…３Ｄ画像シート、４３…導光板、４５…液晶ディスプレイ、５…操作スイッチ、５０…操作マーク（操作目標）
【図１】
2012194617.tif 000003
【図２】
2012194617.tif 000004
【図３】
2012194617.tif 000005
【図４】
2012194617.tif 000006
【図５】
2012194617.tif 000007
【図６】
2012194617.tif 000008
【図７】
2012194617.tif 000009
【図８】
2012194617.tif 000010
【図９】
2012194617.tif 000011
【図１０】
2012194617.tif 000012
【図１１】
2012194617.tif 000013